(57)【要約】【解決手段】本発明は、水平コークス炉の垂直方向に延在する炉扉に連結可能である扉持上げヘッド１、この扉持上げヘッド１を調節移動するための駆動装置３、および、これら炉扉の上方に、この水平コークス炉に沿って移動可能である吸引フード、を有する、コークス炉の炉扉を持上げるための装置に関する。本発明により、扉持上げヘッド１に、封隙部材５が接続されており、これら封隙部材が、開放されるべき炉扉２の両側に、水平コークス炉の正面側の接触面６に向かって運動可能であり、基本的に、この炉扉２の全高さにわたって、吸引フードの吸引領域４内に至るまで延在し、且つ、この炉扉２の開放の際、吸引室８を扉付着粉塵のために形成する。
2004534109.tif 000002
【特許請求の範囲】
【請求項１】
水平コークス炉の垂直方向に延在する炉扉に連結可能である扉持上げヘッド（１）、
この扉持上げヘッド（１）を調節移動するための駆動装置（３）、および、
これら炉扉の上方に、この水平コークス炉に沿って移動可能である吸引フード、
を有する、コークス炉の炉扉を持上げるための装置において、
扉持上げヘッド（１）に、封隙部材（５）が接続されており、
これら封隙部材が、
開放されるべき炉扉（２）の両側に、水平コークス炉の正面側の接触面（６）に向かって運動可能であり、
基本的に、この炉扉（２）の全高さにわたって、吸引フードの吸引領域（４）内に至るまで延在し、且つ、
この炉扉（２）の開放の際、吸引室（８）を扉付着粉塵のために形成する、ことを特徴とする装置。
【請求項２】
扉持上げヘッド（１）は、機械的な、電気機械的な、空気圧的な、または液圧的な調節装置を有しており、この調節装置が、これら封隙部材（５）の調節移動を、これら封隙部材（５）が、扉開口部からの扉持上げヘッド（１）と連結された炉扉（２）の持上げ運動の間、水平コークス炉の正面側の接触面（６）に当接しているように制御するように構成されていることを特徴とする請求項１に記載の装置。
【請求項３】
封隙部材（５）は、旋回運動可能に軸受された翼部として形成されていることを特徴とする請求項１または２に記載の装置。
【請求項４】
封隙部材（５）は、摺動壁部として形成されており、これら摺動壁部が、後方に位置する位置から、水平コークス炉の正面側の接触面（６）に向かって直線的な調節運動で、移動可能であるように構成されていることを特徴とする請求項１または２に記載の装置。
【請求項５】
封隙部材（５）は、静止位置（ＩＩ）と作動位置（ＩＩＩ）との間で運動可能であり、その際、これら封隙部材（５）が、この静止位置（ＩＩ）において、この扉持上げヘッド（１）と閉鎖された炉扉（２）との間の連結工程が監視され得る程度に、摺動戻しまたは旋回戻しされていることを特徴とする請求項１から４のいずれか一つに記載の装置。
【請求項６】
吸引フードは、水平コークス炉の炉室の室幅を基本的に超過しない長さを有していることを特徴とする請求項１から５のいずれか一つに記載の装置。
【発明の詳細な説明】
【０００１】
本発明は、水平コークス炉の垂直方向に延在する炉扉に連結可能である扉持上げヘッド（Ｔｕｅｒａｂｈｅｂｅｋｏｐｆ）、
この扉持上げヘッドを調節移動するための駆動装置、および、
これら炉扉の上方に、この水平コークス炉に沿って移動可能である吸引フード、
を有する、コークス炉の炉扉を持上げるための装置に関する。
【０００２】
最新式のコークス製造作業において、コークス炉扉の持上げの際、発生する粉塵（Ｅｍｉｓｓｉｏｎ）が、操作機械でもって水平コークス炉に沿って移動可能であり、且つ扉持上げ小型装置の上方に位置決めされる吸引フードによって捕捉され、且つ、管状導管を用いて、コークス側の除塵システムか、それともこの操作機械に設置されているフィルター設備に供給される。この吸引フードの長さは、扉持上げの際に発生する粉塵を捕捉するために、炉室の室幅の数倍の値に達する。最新式の水平コークス炉の大きな、しばしば６ｍ以上の値に達する室高さの結果として、且つ、炉扉手前での不可避の空気移動の結果として、更に、扉開放の際に遊離される、特に下側の炉扉領域からの粉塵の著しい量が、この吸引フードによっては捕捉されず、且つ、周囲環境内へと到達する。吸引導管、吸引送風機、および特にフィルター設備が、大きな空気量のために構成されねばならないことは、更に欠点である。
【０００３】
従って、本発明の根底をなす課題は、炉扉の開放の際に発生する粉塵の吸引を改良することである。
【０００４】
冒頭に記載された特徴を有する装置を出発点として、この課題は、本発明により、扉持上げヘッドに、封隙部材が接続されており、これら封隙部材が、開放されるべき炉扉の両側に、水平コークス炉の正面側の接触面に向かって運動可能であり、基本的に、この炉扉の全高さにわたって、吸引フードの吸引領域内に至るまで延在し、且つこの炉扉の開放の際、吸引室を扉付着粉塵（Ｔｕｅｒｅｍｉｓｓｉｏｎ）のために形成することによって解決される。この炉扉の開放の際、この水平コークス炉の正面側面に当接する封隙部材は、上に向かって開いている、吸引フードの吸引領域に向かって開く吸引室を区画する。このことによって、この炉扉の開放の際に発生する粉塵は、通気路を形成され、且つ比較的に小さな空気量でもって、この吸引フードに、合理的に供給される。本発明による配設は、この炉扉の開放の際に、特に下側の炉扉領域からも、発生する全ての粉塵のほぼ完全な捕捉を可能にする。
【０００５】
扉持上げヘッドは、合目的に、機械的な、電気機械的な、空気圧的な、または液圧的な調節装置を有しており、この調節装置が、これら封隙部材の調節移動を、これら封隙部材が、扉開口部からの扉持上げヘッドと連結された炉扉の持上げ運動の間、水平コークス炉の正面側の接触面に当接しているように制御する。有利には、封隙部材は、旋回運動可能に軸受された翼部として形成されている。これら封隙部材は、更に、摺動壁部として形成されていることも可能であり、これら摺動壁部が、後方に位置する静止位置から、水平コークス炉の正面側の接触面に向かって直線的な調節運動で、移動可能である。更に、これら封隙部材が、一つまたは多部材より成るように形成する可能性も存在する。
【０００６】
開放されるべき炉扉との扉持上げ小型装置の連結工程は、本発明により設けられた封隙部材によって、阻害されない。これら封隙部材は、合目的に、静止位置と作動位置との間で運動可能であり、その際、これら封隙部材が、この静止位置において、この扉持上げヘッドと閉鎖された炉扉との間の連結工程が監視され得る程度に、摺動戻し、または旋回戻しされている。
【０００７】
本発明による配設は、コンパクトな、且つ小さな吸引フードの使用を可能にする。有利には、この水平コークス炉に沿って指向する吸引フードは、この水平コークス炉の炉室の室幅を基本的に超過しない長さを有している。この吸引フードに引き続いての吸引導管、吸引送風機、および後に続くフィルター設備は、比較的に小さな物質流に適合するように構成され得る。
【０００８】
次に、本発明を、単に１つの実施例を示した図に基づいて説明する。
【０００９】
図において、コークス押出し機械またはコークス引渡し機械上の扉持上げ装置が図示されている。この扉持上げ装置は、水平コークス炉の垂直方向に延在する炉扉２に連結可能である扉持上げヘッド１を有し、且つ、ただ概略的にだけ示されている、この扉持上げヘッド１を調節移動するための駆動装置３を備えている。更に、吸引フードが設けられており、この吸引フードが、これら炉扉の上方に、この水平コークス炉に沿って移動可能であり、且つこの吸引フードの吸引領域４が、これら図内において破線で図示されている。この吸引フードは、扉持上げ装置の上方に、この水平コークス炉の開放されるべき炉室の手前に位置決めされており、且つ、この実施例において、並びに本発明の有利な実施形態により、この炉室の室幅を基本的に超過しない長さを有している。
【００１０】
扉持上げヘッド１と、封隙部材５が接続されており、これら封隙部材は、図１において破線で図示された基本状態Ｉから、実線でもって図示された状態ＩＩへと移動可能である。この調節移動を制御するために、機械的な、電気機械的な、または液圧的な調節装置が設けられている。有利には、一つまたは多数の液圧シリンダーを有する調節装置が使用される。
【００１１】
扉持上げヘッド１は、図１において図示された位置から、図２において図示された位置へと前進され、且つ、開放されるべき炉扉２に連結される。この前進移動の際、旋回運動可能に軸受された翼部として形成された封隙部材が拡開されており、図１において図示された状態ＩＩを占めている。炉扉２における扉持上げヘッド１の連結は、この持上げヘッド１の持上げビームがこの炉扉２の爪部内に固定するというやり方で、自体公知の方法で行われる。位置ＩＩにおいて、この封隙部材は、この扉持上げヘッド１と閉鎖された炉扉２との間の連結工程が監視され得る程度に旋回戻しされている。連結の後、翼形状の封隙部材５は、水平コークス炉の正面側の接触面６に向かって運動し、且つ、作動位置ＩＩＩを占める。この実施例において、この接触面６はアンカースタンド７に形成されている。これら封隙部材５は、基本的に、炉扉２の全高さにわたって、吸引フードの吸引領域４内に至るまで延在し、且つ炉扉２の開放の際、通路形状の吸引室８を扉付着粉塵のために形成する。
【００１２】
扉開口部からの炉扉の持上げは、図３において図示されている。封隙部材５の調節運動は、所属している調節装置によって、これら封隙部材５が、扉開口部からの扉持上げヘッド１と連結された炉扉２の持上げ運動の間、水平コークス炉の正面側の接触面６に当接しているように制御される。これら翼形状に形成された封隙部材５がアンカースタンド７のフランジ上で、炉扉２の方向に移動することが、この図から見て取れる。この炉扉２の全高さで発生する粉塵は、吸引室８に到達し、且つ、通気路を形成された状態で吸引フードの方向に上に向かって導かれる。これら粉塵は、周囲環境内へと到達しない。旋回運動可能に軸受された翼形状の封隙部材５が、図３において図示された、基本位置に相応する位置ＩＶに到達する前に、扉持上げ装置の走行運動は、比較的に長い吸引時間間隔を収受するために、一時的に停止される。
【００１３】
図４は、連結された炉扉２を有する扉持上げヘッド１を、図示されていない炉扉洗浄装置の手前での旋回された位置において示している。これら翼形状の封隙部材５は、基本位置Ｉに存在している。
【００１４】
図５は、本発明による装置の他の実施形態を示している。これら封隙部材５は、この実施形態の場合、多部材より成る摺動壁部として形成されており、これら摺動壁部が、後方に位置する基本位置から、水平コークス炉の正面側の接触面６に向かって直線的な調節運動で、移動可能である。
【図面の簡単な説明】
【図１】
コークス炉の閉鎖された炉扉の水平方向断面、および、平面図における、炉扉の手前に位置決めされた、炉扉を持上げるための装置の概略的な図である。
【図２】
他の機能位置における、図１において図示された装置の概略的な図である。
【図３】
他の機能位置における、図１において図示された装置の概略的な図である。
【図４】
他の機能位置における、図１において図示された装置の概略的な図である。
【図５】
本発明による装置の、他の実施形態の概略的な図である。
【国際公開パンフレット】
2004534109.tif 000003
2004534109.tif 000004
2004534109.tif 000005
2004534109.tif 000006
2004534109.tif 000007
2004534109.tif 000008
2004534109.tif 000009
2004534109.tif 000010
2004534109.tif 000011
2004534109.tif 000012
2004534109.tif 000013
2004534109.tif 000014
2004534109.tif 000015
2004534109.tif 000016
2004534109.tif 000017
【国際調査報告】
2004534109.tif 000018
2004534109.tif 000019
2004534109.tif 000020
2004534109.tif 000021